【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
動き補償予測を行う画像復号装置であって、
復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成部と、
前記候補に含まれる第１の候補から第１の方向の第１の動き情報を取得する第１の動き情報取得部と、
前記候補に含まれる前記第１の候補とは異なる第２の候補から前記第１の方向とは異なる第２の方向の第２の動き情報を取得する第２の動き情報取得部と、
前記第１の動き情報と前記第２の動き情報を組み合わせて、動き情報の第１の新たな候補を生成する選択候補生成部と、
を備え、
前記第１の動き情報取得部は、さらに、前記第２の候補から前記第１の方向の第３の動き情報を取得し、
前記第２の動き情報取得部は、さらに、前記第１の候補から前記第２の方向の第４の動き情報を取得し、
前記選択候補生成部は、前記第３の動き情報と前記第４の動き情報とを組み合わせて、動き情報の第２の新たな候補を生成し、
前記候補リスト生成部は、前記復号対象ブロックを含む画像と時間的に異なる画像のブロックの動き情報から導出した動き情報を候補リストに含め、
前記候補の数が、設定された最大数を超えないように、前記選択候補生成部により生成された１つ以上の新たな候補を含めた候補リストを生成する、
ことを特徴とする画像復号装置。
【請求項２】
動き補償予測を行う画像復号方法であって、
復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成するステップと、
前記候補に含まれる第１の候補から第１の方向の第１の動き情報を取得するステップと、
前記候補に含まれる前記第１の候補とは異なる第２の候補から前記第１の方向とは異なる第２の方向の第２の動き情報を取得するステップと、
前記第１の動き情報と前記第２の動き情報を組み合わせて、動き情報の第１の新たな候補を生成するステップと、
前記第２の候補から前記第１の方向の第３の動き情報を取得するステップと、
前記第１の候補から前記第２の方向の第４の動き情報を取得するステップと、
前記第３の動き情報と前記第４の動き情報とを組み合わせて、動き情報の第２の新たな候補を生成するステップと、
を有し、
前記候補リストを生成するステップにおいて、前記復号対象ブロックを含む画像と時間的に異なる画像のブロックの動き情報から導出した動き情報を候補リストに含め、
前記候補の数が、設定された最大数を超えないように、前記新たな候補を生成するステップにより生成された１つ以上の新たな候補を含めた候補リストを生成する、
ことを特徴とする画像復号方法。
【請求項３】
動き補償予測を行う画像復号プログラムであって、
復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する処理と、
前記候補に含まれる第１の候補から第１の方向の第１の動き情報を取得する処理と、
前記候補に含まれる前記第１の候補とは異なる第２の候補から前記第１の方向とは異なる第２の方向の第２の動き情報を取得する処理と、
前記第１の動き情報と前記第２の動き情報を組み合わせて、動き情報の第１の新たな候補を生成する処理と、
前記第２の候補から前記第１の方向の第３の動き情報を取得する処理と、
前記第１の候補から前記第２の方向の第４の動き情報を取得する処理と、
前記第３の動き情報と前記第４の動き情報とを組み合わせて、動き情報の第２の新たな候補を生成する処理と、
をコンピュータに実行させ、
前記候補リストを生成する処理において、前記復号対象ブロックを含む画像と時間的に異なる画像のブロックの動き情報から導出した動き情報を候補リストに含め、
前記候補の数が、設定された最大数を超えないように、前記新たな候補を生成する処理により生成された１つ以上の新たな候補を含めた候補リストを生成する、
ことを特徴とする画像復号プログラム。
【請求項４】
動き補償予測を行う受信装置であって、
動画像が符号化された符号化データを受信する受信部と、
前記符号化データをパケット処理して符号化ストリームを生成するパケット処理部と、
前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成部と、
前記候補に含まれる第１の候補から第１の方向の第１の動き情報を取得する第１の動き情報取得部と、
前記候補に含まれる前記第１の候補とは異なる第２の候補から前記第１の方向とは異なる第２の方向の第２の動き情報を取得する第２の動き情報取得部と、
前記第１の動き情報と前記第２の動き情報を組み合わせて、動き情報の第１の新たな候補を生成する選択候補生成部と、
を備え、
前記第１の動き情報取得部は、さらに、前記第２の候補から前記第１の方向の第３の動き情報を取得し、
前記第２の動き情報取得部は、さらに、前記第１の候補から前記第２の方向の第４の動き情報を取得し、
前記選択候補生成部は、前記第３の動き情報と前記第４の動き情報とを組み合わせて、動き情報の第２の新たな候補を生成し、
前記候補リスト生成部は、前記復号対象ブロックを含む画像と時間的に異なる画像のブロックの動き情報から導出した動き情報を候補リストに含め、
前記候補の数が、設定された最大数を超えないように、前記選択候補生成部により生成された１つ以上の新たな候補を含めた候補リストを生成する、
ことを特徴とする受信装置。
【請求項５】
動き補償予測を行う受信方法であって、
動画像が符号化された符号化データを受信するステップと、
前記符号化データをパケット処理して符号化ストリームを生成するステップと、
前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成するステップと、
前記候補に含まれる第１の候補から第１の方向の第１の動き情報を取得するステップと、
前記候補に含まれる前記第１の候補とは異なる第２の候補から前記第１の方向とは異なる第２の方向の第２の動き情報を取得するステップと、
前記第１の動き情報と前記第２の動き情報を組み合わせて、動き情報の第１の新たな候補を生成するステップと、
前記第２の候補から前記第１の方向の第３の動き情報を取得するステップと、
前記第１の候補から前記第２の方向の第４の動き情報を取得するステップと、
前記第３の動き情報と前記第４の動き情報とを組み合わせて、動き情報の第２の新たな候補を生成するステップと、
を有し、
前記候補リストを生成するステップにおいて、前記復号対象ブロックを含む画像と時間的に異なる画像のブロックの動き情報から導出した動き情報を候補リストに含め、
前記候補の数が、設定された最大数を超えないように、前記新たな候補を生成するステップにより生成された１つ以上の新たな候補を含めた候補リストを生成する、
ことを特徴とする受信方法。
【請求項６】
動き補償予測を行う受信プログラムであって、
動画像が符号化された符号化データを受信する処理と、
前記符号化データをパケット処理して符号化ストリームを生成する処理と、
前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する処理と、
前記候補に含まれる第１の候補から第１の方向の第１の動き情報を取得する処理と、
前記候補に含まれる前記第１の候補とは異なる第２の候補から前記第１の方向とは異なる第２の方向の第２の動き情報を取得する処理と、
前記第１の動き情報と前記第２の動き情報を組み合わせて、動き情報の第１の新たな候補を生成する処理と、
前記第２の候補から前記第１の方向の第３の動き情報を取得する処理と、
前記第１の候補から前記第２の方向の第４の動き情報を取得する処理と、
前記第３の動き情報と前記第４の動き情報とを組み合わせて、動き情報の第２の新たな候補を生成する処理と、
をコンピュータに実行させ、
前記候補リストを生成する処理において、前記復号対象ブロックを含む画像と時間的に異なる画像のブロックの動き情報から導出した動き情報を候補リストに含め、
前記候補の数が、設定された最大数を超えないように、前記新たな候補を生成処理により生成された１つ以上の新たな候補を含めた候補リストを生成する、
ことを特徴とする受信プログラム。